(57)【要約】【課題】  歩行型管理機を用いての畝立て作業を、機材の取り換えの手間を要することなく能率よく行えるようにする。【解決手段】  エンジン４を有する走行機体と、該走行機体の後方にハンドル１５を延出し、該エンジン４の駆動力で動力伝達機構を介して耕耘軸９を回転させ、該耕耘軸９に備えた耕耘爪１０の回転により耕耘する歩行型管理機１において、前記耕耘軸９より後方で走行機体の後部に抵抗棒１３を配置し、前記耕耘爪１０で耕起した土を押圧して畝を成形する培土器１４を、前記耕耘爪１０と抵抗棒１３の間に配置し、該培土器１４を幅調整自在に構成し、該幅調整をハンドル１５の近傍に備えた操作部からの遠隔操作により行うようにしたものである。【選択図】      図１
2012029608.tif 000002
【特許請求の範囲】
【請求項１】
エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成したことを特徴とする歩行型管理機。
【請求項２】
エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成すると共に、該幅調整を、ハンドルの近傍に備えた操作部からの遠隔操作により行うことを特徴とする歩行型管理機。
【発明の詳細な説明】
【技術分野】
【０００１】
本発明は、耕耘作業等を行うための歩行型管理機に関する。
【背景技術】
【０００２】
従来、ハンドルを後方に延出した走行機体に耕起爪を装備するとともに、前記走行機体の後部に抵抗棒を配置し、前記耕耘爪で耕起した土を押圧して畝を成形する培土器を、前記耕起爪と抵抗棒との間に配置した歩行型管理機は知られている。（例えば、特許文献１参照）
【先行技術文献】
【特許文献】
【０００３】
【特許文献１】特開２００９−１７８０５８号公報
【発明の概要】
【発明が解決しようとする課題】
【０００４】
上述した特許文献１の歩行型管理機においては、使用する培土器の形状や大きさが固定されるため、同じ大きさの畝しか作ることが出来ないので、例えば、作物の種類によって畝間隔を広くしたい場合や、逆に狭くしたい場合、その都度、培土器を取り外して別の培土器を取り付けなければならないという煩雑な作業をしいられていた。
しかも、培土器の取外や交換作業も、いちいち中腰で無理な作業姿勢で行わなければならなかった。
【０００５】
そこで本発明は、歩行型管理機を用いての畝立て作業時の培土器の取り換えの手間を要することなく行えるようにすることが可能な歩行型管理機を提供することを目的とする。
【課題を解決するための手段】
【０００６】
本発明は、上記の如き実情に鑑みこれらの課題を解決することを目的として創作されたものであって、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成したことを第一の特徴とする。
【０００７】
また、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成すると共に、該幅調整を、ハンドルの近傍に備えた操作部からの遠隔操作により行うことを第二の特徴とする。
【発明の効果】
【０００８】
請求項１に係る本発明によると、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成したので、畝の間隔や幅調整を容易に行うことができ、作業性を向上させることができる。
【０００９】
そして、請求項２に係る本発明によると、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土器を、前記耕耘爪と抵抗棒の間に配置し、該培土器を幅調整自在に構成すると共に、該幅調整を、ハンドルの近傍に備えた操作部からの遠隔操作により行うことに構成したので、畝の間隔や幅調整が楽な作業姿勢で行うことができ、作業性を向上させることができる。
【図面の簡単な説明】
【００１０】
【図１】歩行型管理機の側面図である。
【図２】歩行型管理機の平面図である。
【図３】培土器の背面図である。
【図４】培土器と延長培土器の動作関係を示す概略平面図である。
【図５】畝成形作用姿勢にある培土器を示す背面図である。
【図６】畝成形作用姿勢にある培土器を示す拡大平面図である。
【図７】固定培土器と延長培土器の取り付け関係を示す概略側面図である。
【発明を実施するための形態】
【００１１】
以下、本発明に係る実施の形態を図１乃至図７に沿って説明する。
【００１２】
１は車軸耕耘式の歩行型管理機であって、該歩行型管理機１は、前後方向に沿う機体フレーム２を備え、該機体フレーム２の下側に、前低後高状に傾斜するチェンケース３が配置される一方、機体フレーム２の上側に、動力源であるエンジン４が搭載されている。
【００１３】
エンジン４の左側面部には、エンジン４の動力をチェンケース３に伝達する動力伝達機構であるベルト伝動機構（図示せず）と、これを覆うベルトカバー５が設けられている。また、エンジン４の上部には、ステー６を介して燃料タンク７が設けられると共に、燃料タンク７の周囲を覆うエンジンカバー８が設けられ、走行機体の後方にはハンドル１５が延出している。
【００１４】
チェンケース３の下部には、エンジン動力で駆動される耕耘軸９が設けられている。耕耘軸９は、チェンケース３の下部から左右に延出しており、その中間部に複数の耕耘爪１０が設けられると共に、左右両端部にそれぞれディスク１１が設けられている。
【００１５】
本実施形態の耕耘軸９は、チェンケース３に突設される固定耕耘軸と、該固定耕耘軸に着脱自在に設けられて軸長を延長する延長軸とを備えて構成されており、例えば、通常の耕耘作業時には、延長軸を取り付けて耕耘幅を広く確保する一方、中耕作業軸には、延長軸を取り外して機体幅を狭くすることができるようになっている。
【００１６】
また、チェンケース３の後端部には、後部ヒッチ１２が一体的に設けられている。この後部ヒッチ１２には、抵抗棒１３が上下調節可能に固定され、該抵抗棒１３に本発明の要部となる培土器１４が装着されるようになっている。
【００１７】
さらに、チェンケース３の上端部には、ハンドルフレーム１５Ｆが突設されており、該ハンドルフレーム１５Ｆに左右のハンドル１５Ｌ、１５Ｒが設けられている。そして、左側のハンドル１５Ｌには、主クラッチレバー１６が設けられ、右側のハンドル１５Ｒには、スロットルレバー１７が設けられている。
【００１８】
図１は、前進走行によって歩行型管理機１の通過跡左右に畝を形成してゆく外盛り式の畝立てを行う仕様とした歩行型管理機１が示されており、培土器１４を耕耘爪１０と抵抗棒１３の間に設けられている。チェンケース３の下部に支承された左右の耕耘軸９には耕耘爪１０がそれぞれ装着されている。耕耘爪１０を反時計方向（図１の矢印参照）に高速で回転駆動して耕起しながら耕耘爪１０の回転によって前進し、歩行型管理機１の後部において圃場に突入された抵抗棒１３による前進抵抗を加減することで、所望の速度で前進しながら耕起を行うようになっている。
【００１９】
前記耕耘爪１０は、耕耘軸９に耕耘爪１０を植設して構成されており、この例では、複数種の耕耘爪１０を所定の配列に配置して、所定の横幅に亘って耕起した土を左右に跳ね上げる外盛り仕様に構成されたものが用いられる。
【００２０】
また、前記後部ヒッチ１２の後寄り箇所には、抵抗棒１３の直前方に近接するように培土器１４が取り付けられ、培土器１４は、固定培土器１４Ａと延長培土器１４Ｂ、１４Ｂで構成され、延長培土器１４Ｂ、１４Ｂを左右方向に調整することで培土器１４を幅調整自在に構成している。
この培土器１４は、抵抗棒１３の前面に金属製の支持枠２１を介してボルトＡで締め付け連結して構成されたものであり、その詳細は以下の通りである。
【００２１】
即ち、前記支持枠２１は、平鋼材からなる左右に長い上部横枠部２１ａと、左右に短い下部横枠部２１ｂと、これらの左右中心部をつなぐ縦枠部２１ｃとを備えており、これらの支持枠２１ａ、２１ｂ、２１ｃをゴム板からなる培土器１４にボルトＢで固定している。
【００２２】
そして、固定培土器１４Ａの前面には、後述する、固定培土器１４Ａに対して左右独立して設けられた延長培土器１４Ｂ、１４Ｂを小型の電動シリンダの伸縮作動によって左右方向にスライド出来るように、延長培土器１４Ｂ、１４Ｂを固定培土器１４Ａの左右両側に移動させるべく、図６に示すように固定培土器１４Ａの左右に上下二箇所ずつ、計四箇所に案内部材１４Ｃ、１４Ｄ、１４Ｅ、１４Ｆを設け、該案内部材１４Ｃ、１４Ｄ、１４Ｅ、１４Ｆの内周には延長培土器１４Ｂ、１４Ｂの後面で嵌合させるべく案内部材１４ｃ、１４ｄ、１４ｅ、１４ｆが取り付けられ、前記固定培土器１４Ａに対して該延長培土器１４Ｂ、１４Ｂを左右方向へスライド自在に構成している。
なお、延長培土器１４Ｂ、１４Ｂを必要以上に左右方向へスライドさせて、延長培土器１４Ｂ、１４Ｂを固定培土器１４Ａから脱落するのを防止するために、固定培土器１４Ａ側の全ての案内部材１４Ｃ、１４Ｄ、１４Ｅ、１４Ｆの両端にはストッパー（図示せず）が設けられている。
【００２３】
また、機体フレーム２の後端寄りには、固定培土器１４Ａに対して左右の延長培土器１４Ｂ、１４Ｂを同時に左右方向へスライドさせるべく、小型の電動シリンダＤが取り付けられ、後述するハンドル１５Ｒ近傍に備えた延長培土器１４Ｂ、１４Ｂの左右伸縮スイッチＤＬ、Ｄｌの操作によって、固定培土器１４Ａに対して延長培土器１４Ｂ、１４Ｂを左右移動自在として畝の幅間隔を調整している。
【００２４】
具体的には、延長培土器１４Ｂ、１４Ｂの伸長スイッチＤＬが押圧操作されると、左右の電動シリンダＤからコの字ロッド１９が縮むことで下方に延びるロッド１９Ａを経由して左右方向に延びるロッド１９Ｂによって左右の延長培土器１４Ｂ、１４Ｂが固定培土器１４Ａに対して左右方向に拡がるべく、固定培土器１４Ａ側の案内部材１４Ｃ、１４Ｄ、１４Ｅ、１４Ｆに対して延長培土器１４Ｂ、１４Ｂ側の案内部材１４ｃ、１４ｄ、１４ｅ、１４ｆが左右方向へ移動する。一方、延長培土器１４Ｂ、１４Ｂの縮小スイッチＤｌが押圧操作されると、左右の電動シリンダＤからコの字ロッド１９が伸びることで下方に延びるロッド１９Ａを経由して左右方向に延びるロッド１９Ｂによって左右の延長培土器１４Ｂ、１４Ｂが固定培土器１４Ａの幅に近づくように縮むべく、固定培土器１４Ａ側の案内部材１４Ｃ、１４Ｄ、１４Ｅ、１４Ｆに対して延長培土器１４Ｂ、１４Ｂ側の案内部材１４ｃ、１４ｄ、１４ｅ、１４ｆが内向へ移動する。
【００２５】
このようにすると、耕耘作業中に培土器１４の幅を調整して畝間隔や畝幅を調整する場合、機体を停止させることなく、ハンドル１５Ｒ近傍に設けられるスイッチＤＬ、ＤＩを操作するだけで、延長培土器１４Ｂ、１４Ｂの伸縮量の変更が可能になるので、作業効率を低下をさせることなく向上させることができる。  
【符号の説明】
【００２６】
１        歩行型管理機
４        エンジン
９        耕耘軸
１０      耕耘爪
１３      抵抗棒
１４      培土器
１５      ハンドル
【図１】
2012029608.tif 000003
【図２】
2012029608.tif 000004
【図３】
2012029608.tif 000005
【図４】
2012029608.tif 000006
【図５】
2012029608.tif 000007
【図６】
2012029608.tif 000008
【図７】
2012029608.tif 000009